(57)【要約】【課題】屋内又は屋外空間部への設置が容易で、設置後のメンテナンス作業が少なく、且つ安全に架け渡すことができる屋内又は屋外空間部のネット体、及び該屋内又は屋外空間部のネット体の吊り張り方法を提供することを課題とする。【解決手段】屋内又は屋外空間部の側面側等に沿って取り付けられた取り付け用ロープと、該取り付け用ロープに連結された防球用等としてのネットとから構成された屋内又は屋外空間部用のネット体において、前記取り付け用ロープが前記ネットを取り付けるための側面等に沿って複数本のロープを網目構造状に連結して形成し、且つ所望のロープを選択して連結されていることである。【選択図】図１
2017192689.tif 000002
【特許請求の範囲】
【請求項１】
屋内又は屋外空間部の側面等に沿って取り付けられた取り付け用ロープと、該取り付け用ロープに連結された防球用等としてのネットとから構成された屋内又は屋外空間部用のネット体において、前記取り付け用ロープが前記ネットを取り付けるための側面等に沿って複数本のロープを網目構造状に連結して形成され、且つ前記ネットが前記取り付け用ロープを形成するロープのうち所望のロープを選択して連結されていることを特徴とする屋内又は屋外空間部用のネット体。
【請求項２】
屋内又は屋外空間部の側面等の形状に応じて１枚又は複数枚でネットを形成し、該ネットを前記側面等に吊り張りした取り付け用ロープを介して取り付ける屋内又は屋外空間部用のネット体の吊り張り方法において、前記取り付け用ロープを所望の大きさの網目構造状に複数本のロープを連結して形成し、前記取り付け用ロープを前記側面等の形状に応じて複数個所で取り付けた後、前記取り付け用ロープを形成するロープのうち所望のロープを利用して前記ネットを取り付けるとともに、前記ネットを取り付けたロープに沿って移動することで前記ネットの位置調整を行うことを特徴とする屋内又は屋外空間部用のネット体の吊り張り方法。
【発明の詳細な説明】
【技術分野】
【０００１】本願発明は、各種スポーツの練習用、又は試合用として使用する屋内空間部、又は屋外空間部において、防球用（又は間仕切り用）としてその側面、又は天井面等に沿って吊り張りする屋内又は屋外空間部用のネット体、又は該屋内又は屋外空間部用のネット体の吊り張り方法に関する。
【背景技術】
【０００２】従来、屋内空間部の側面に沿ってネット体を吊り張りする場合は、側面の上方向、及び下方向に沿ってそれぞれ固定状態で上・下取り付け用ロープを取り付け、その後該取り付け用ロープに空間部の形状に応じて形成されたネットの上・下両端部側を前記取り付け用ロープに巻き付けることで、取り付け用ロープに沿ってネットを取り付ける。【０００３】これにより、側面側に沿って形状に応じた防球用等のネット体を固定状態で取り付けできる。【０００４】前記ネットは、空間部の形状に応じて１枚又は複数枚のネット本体を組み合わせて形成されている。【０００５】また、屋内空間の天井面に沿ってネット体を取り付ける場合は、天頂側より側面側に沿ってそれぞれ取り付け用ロープを固定状態で取り付け、該取り付け用ロープに天井面の形状に応じて形成されたネットの端部側をそれぞれ巻き付けることで取り付ける。【０００６】これにより、天井面に沿って水平、又は傾斜した状態でネットを取り付けできる。【０００７】また、屋外空間部の外周縁に沿ってネットを吊り張りする場合は、空間部の外周縁に沿って所望の間隔で立設された複数本の支柱の上下方向で支柱間に取り付け用ロープを架け渡した後、前記取り付け用ロープにネットの上下端部側をそれぞれ巻き付けることでネットを取り付ける。
【発明が解決しようとする課題】
【０００８】しかしながら、上記従来のネット体は、１本の取り付け用ロープを予め所望の高さで側面等に固定状態で取り付け、該取り付け用ロープにネットの端部側を巻き付けることで取り付けるために、ネット取り付け時における取り付け位置の微調整ができない欠点があった。
【０００９】また、空間部の形状に応じて取り付け用ロープを取り付けるが、側面とネットの間に隙間を開ける場合は、取り付け用ロープの両端側のみ固定するために、取り付け用ロープにネットの荷重がかかり、該取り付け用ロープの中途部分を別体のロープで天井側より吊り張りする必要があり、その作業が煩雑であるという欠点があった。
【００１０】また、屋内空間部の天井面に沿ってネット体を取り付ける場合は、天井の梁に沿って取り付け用ロープを取り付け、該取り付け用ロープにネットの端部を取り付けるために、ネットの取り付け位置が梁部分に限定され、例えば天井面が円弧状に形成されている場合はネットが下方側に垂れ下がり、天井面に沿っての適切な吊り張り状態でのネットの取り付けができない欠点があった。
【００１１】さらに、側面と天井面とに沿ってそれぞれネットを取り付ける場合は、それぞれ側面側及び天井側に沿って取り付け用ロープを架け渡す必要があり、その取り付け作業工程が煩雑であるという欠点があった。
【００１２】また、ネットを取り付ける位置に、障害物等が存在すると、取り付け用ロープのみでは、適切な位置に沿ってネットを取り付けられないという欠点があった。
【００１３】そこで、本発明は屋内空間へのネットの取り付けが容易であり、またネットの取り付け位置の微調整が行え、さらに、円弧状等の天井面においても適切にネットを取り付けできる屋内又は屋外空間部用のネット体、及び該屋内又は屋外空間部用のネット体の吊り張り方法を提供することを課題とする。
【課題を解決するための手段】
【００１４】本願発明の上記課題を解決する手段としての屋内又は屋外空間部用のネット体は、請求項１に記載のように、屋内又は屋外空間の側面等に沿って取り付けられた取り付け用ロープと、該取り付け用ロープに連結された防球用等としてのネットとから構成された屋内又は屋外空間部用のネット体において、前記取り付け用ロープが前記ネットを取り付けるための側面等に沿って複数本のロープを網目構造状に連結して形成され、且つ所望のロープを選択して前記ネットが連結されていることを特徴とする。
【００１５】また、本願発明の上記課題を解決する手段としての屋内又は屋外空間部用のネット体の取り付け方法は、請求項２に記載のように、屋内又は屋外空間部の側面等の形状に応じて１枚又は複数枚でネットを形成し、該ネットを前記側面等に吊り張りした取り付け用ロープを介して取り付ける屋内又は屋外空間部用のネット体の取り付け方法において、前記取り付け用ロープを所望の大きさの網目構造状に複数本のロープを連結して形成し、前記取り付け用ロープを前記側面等の形状に応じて複数個所で取り付けた後、前記取り付け用ロープを形成する所望のロープを利用して前記ネット体を取り付けるとともに、前記ネットを取り付け用ロープに沿って移動することで前記ネットの位置調整を行うことを特徴とする。
【発明の作用効果】
【００１６】次に、本願発明の屋内又は屋外空間部用のネット体、及び該屋内又は屋外空間部用のネット体の吊り張り方法の作用効果を説明する。
【００１７】先ず、請求項１に記載の屋内又は屋外空間部用のネット体は、屋内又は屋外空間の側面、又は屋外空間の支柱間に沿って所望の位置（高さ、及び方向を選択）に取り付け用ロープを取り付ける。
【００１８】この際、前記取り付け用ロープは、複数本のロープを用いて網目構造状に連結して形成することで、屋内空間部の側面、又は屋外空間部の支柱間の所望の位置の広範囲に渡って複数本のロープを吊り張りして取り付けする。このため、前記取り付け用ロープをあらゆる空間部に沿って適切に取り付けできる。
【００１９】例えば、屋内空間部の側面側が凹凸状等の変形形状である場合は、前記取り付け用ロープを形成する網目構造（大小・・・凹凸形状が多い場合は網目を小さく形成し、凹凸形状が少ない場合は網目を大きく形成）を大小に対応して取り付けでき、天井面が円弧面である場合は、前記取り付け用ロープを形成する網目構造（円弧の大きさに応じて、円弧面が急なほど網目を小さく形成）を大小に対応して取り付けできる。
【００２０】また、屋外空間部の支柱間の距離に応じて網目構造（支柱間の距離と支柱の高さが高い程、網目を複雑に形成）を形成するロープの本数を調整して取り付ける。
【００２１】前記取り付け用ロープの網目構造状の連結は、矩形状であれば網目の形状は特に限定されず、ネットを取り付ける側面等の形状（球面、２階部分の突起等）に応じて自在に形成でき、該当する面に沿って取り付け用ロープを取り付け（左右方向、又は上下方向、及び上下方向、さらに傾斜方向等の複数箇所を取り付け、所望の空間で架け渡して）できる。
【００２２】また、前記取り付け用ロープの網目構造を形成するロープの本数等も複数本であれば、その本数は限定されるものでなく、網目構造の大きさ、形状に応じて自在に本数を決定しして網目構造状に形成することができる。
【００２３】その後、前記取り付け用ロープを形成するロープのうち所望のロープ、又は複数本のロープを選択し、該選択したロープを利用して所望の方向（防球用等の利用方向）に沿ってネットを取り付ける。
【００２４】前記ネットは、ネットの端部側又は取り付け用ロープの何れかに取り付けられた連結具等を介して取り付けることで、その取り付けが容易に行える。
【００２５】また、前記ネットを前記取り付けたロープに沿って端部側を広げる方向に移動することで、ネットの吊り張り（左右方向の張り、上下方向の張りを調整、吊り張り位置の微調整）の微調整を自在に行うことができる。
【００２６】このため、ネットを取り付けたロープにかかるネットの荷重を複数本のロープで分散し、安定した状態でネットを取り付けでき、従来のようなネットの荷重等による取り付け位置等の摩耗等が少ない。
【００２７】このように、本願発明の屋内又は屋外空間部用のネット体は、その取り付けが容易に行える、しかも取り付け位置の微調整が可能であり、適切なネットの取り付けが行える。
【００２８】また、取り付け用ロープの空間部への取り付けが、空間部の形状、空間部の大きさ等に応じて自在に選択でき、防球用等の目的に応じて、空間部にネットを吊り張りできる。
【００２９】さらに、取り付け用ロープはあらゆる方向、あらゆる位置に自在な取り付けが可能であり、あらゆる空間部にネットを吊り張りできる。
【００３０】また、取り付け用ロープを利用してネットが取り付けられているために、ネットの取り付け位置を自在に設定でき、しかも、取り付けが容易に行える利点がある。
【００３１】次に、請求項２に記載の屋内又は屋外空間部用のネット体の吊り張り方法は、先ず、屋内空間の側面、又は天井面に沿って、又は屋外空間の支柱間の取り付け位置にそって、複数本のロープを用いて網目構造状に形成された取り付け用ロープを取り付ける。
【００３２】この際、前記網目部分の大きさを自在に形成することで、側面との距離、天井面に沿っての取り付け、又は支柱間の形状等に応じて取り付け用ロープを取り付けできる。
【００３３】即ち、屋内空間部の側面と一定の距離を開けてネットを取り付ける場合は、側面側の形状に対応する必要がないために、網目構造を形成する網目の大きさを広めに形成して取り付け用ロープを形成し、又側面との距離が近い場合は、側面の凹凸形状に対応するために網目構造を形成する網目の大きさを小さく形成し、凹凸形状に応じて取り付け用ロープを形成する。
【００３４】また、屋内空間部の天井面がなだらかな平面状であればネットの下方側への垂れが一定であるために網目構造を形成する網目の大きさを大きく形成して取り付け用ロープを形成し、天井面が円弧状であれば下方側への垂れが一定でないために、円弧面に沿って取り付けるべく網目構造を形成する網目の大きさを小さく形成して取り付け用ロープを形成する。
【００３５】このため、取り付け用ロープの取り付け位置は天井面の梁のみに限定されことなく取り付けできる。
【００３６】また、取り付け用ロープを利用してのネットの連結位置も自在に選択することができる。
【００３７】さらに、屋外空間部の支柱間が狭く、支柱の高さが低い場合はネットの荷重が小さく、このため網目構造を形成する網目の大きさを大きく形成して取り付け用ロープを形成し、支柱間が広く支柱が高い場合は風の影響を受けやすくさらにネットの荷重が大きく、ネットを強く吊り張りするために網目構造を形成する網目の大きく形成して取り付け用ロープを形成する。
【００３８】また、取り付け用ロープを形成するロープの本数を調整することで、さらに、側面等の形状に応じて自在に取り付けできる。
【００３９】即ち、ロープの本数を多くすることで、取り付け用ロープの強度をより強く形成でき、天井面等に強く取り付けでき、又風等により対応することができる。
【００４０】その後、前記取り付け用ロープを形成するロープのうち所望のロープを選択し、空間部の形状に応じて形成されたネットを取り付ける。
【００４１】この際、前記ネットを前記ロープに沿って所望量移動（ネットを広げる方向（横方向、又は縦方向、及び縦方向）に移動）し、ネットの吊り張りの調整、及び取り付け位置の微調整することができる。
【００４２】このためロープにかかるネットの荷重は連結した横方向、又は縦方向、及び縦方向のロープによって、分散された状態で取り付けできる。
【００４３】このように、本願発明は屋内、又は屋外空間部用のネット体は、その取り付けが容易であり、しかも、取り付け位置の微調整で容易に適切な位置にネットを吊り張りできる。
【００４４】また、ネットのメンテナンス作業時においては、ネットを取り付け用ロープより取り外すことで、容易にメンテナンス作業を行える。
【００４５】さらに、取り付け用ロープの空間部への取り付け方法を選択することで、吊り張りするネットの荷重に応じて、自在な取り付けが可能である。
【発明を実施するための最良の形態】
【００４６】本願発明の屋内又は屋外空間部用のネット体、及び該屋内又は屋外空間部用の吊り張り方法について図面を用いて説明する。【００４７】図１は本願発明の屋内空間部用のネット体の一実施例を示す概略説明側面図であり、図２は図１のネットを連結する天井用の取り付け用ロープを示す概略説明平面図であり、図３は、図２の取り付け用ロープの半面部分にネットを取り付けた状態を示す概略説明平面図であり、図４は本願発明の屋内空間部用のネット体を円弧面に沿って取り付けた状態を示す概略説明側面図であり、図５、及び図６は本願発明の屋内空間部用のネット体の他実施例を示す概略説明平面図であり、図７は屋内空間部用のネット体の間仕切り用の使用状態を示す概略説明平面図、図８は屋内空間部用のネット体を床面と平行に取り付けた状態を示す概略説明平面図であり、図９、図１０は本願発明の屋外空間部用のネット体を示す概略説明平面図であり、図１１、及び図１２は本願発明の屋内又は屋外空間部のネット体の吊り張り方法のフローチャートである。
【実施例１】
【００４８】本願発明の屋内空間部用のネット体１は、空間部の形状に応じて縦方向、及び横方向に組み合わされたネット２と、該ネット２を連結するための取り付け用ロープ３とから構成されている。【００４９】前記ネット２は、１枚又は複数枚のネットで形成されたネット本体４と、該ネット本体４の対向する両端側に沿ってそれぞれ（上下方向、及び左右方向）に取り付けることでネット本体４を補強する補強用ロープ５とから構成されている。【００５０】前記取り付け用ロープ３は、ネット２を設置する面に沿って複数本のロープ６を網目構造状（本願発明において、網目構造状とは複数本のロープ６を用いた格子状の組み合わせであり、両端側のみを固定して架け渡された単独のロープ６以外の構成が含まれる）に組み合わせて形成されている。【００５１】前記取り付け用ロープ３を形成するロープ６の連結部分Ｒの大きさを調整することで、側面、及び天井面の形状に応じて、また取り付けるネット２の荷重に対応して自在に形成することができる。【００５２】即ち、側面と一定の距離を開けてネット２を吊り張りする場合は凹凸形状等に対応する必要がなく直線状に掛け渡すために、取り付け用ロープ３を形成するロープ６の網目を大きく形成して直線状に取り付け用ロープ３を取り付け、側面側にネット２を吊り張りする場合は、側面の凹凸形状に応じて取り付け用ロープ３を直接取り付けるために、網目を小さく形成し側面側に適切に沿うように取り付け用ロープ３を取り付ける。【００５３】前記直線状に取り付け用ロープ３を取り付けた場合は、該取り付け用ロープ３に直接ネット２を取り付ける。また、凹凸形状に応じて取り付けた場合は、所望の位置のロープ６を複数本選択してネット２を取り付ける。【００５４】また、天井面が平面状で傾斜が小さい場合は、ネット２の連結個所が少ないために取り付け用ロープ３の網目を大きく（例えば、１０ｍ２毎等）形成して天井面に取り付け、天井面が円弧状である場合は、円弧面に沿って多くの連結個所でネット２を取り付けるために取り付け用ロープ３の網目を小さく（例えば、５ｍ２毎等）形成して取り付ける。【００５５】または、取り付け用ロープ３の網目構造は同一で、天井面の傾斜、円弧面に応じて（傾斜角度が大きい場合（約３０度以上）、又は円弧面が急な場合は、天井面への取り付け個所を増加することで面に沿って取り付けできる）天井面への固定個所を調整する。【００５６】このため、従来のように、天井面の梁に限定した取り付けをする必要がなく、自在な取り付けが可能であり、特に近年の大空間部を有する屋内施設の場合、照明等を含めて複雑に形成された天井面のネット２の取り付けに適する。【００５７】また、天井面の形状に関わらずネット２を床面に対して水平状態に取り付ける場合は、取り付け用ロープ３からそれぞれ長さ調整した複数本の調整吊り張りロープ６Ｇを介してネット２を連結することで、水平状態にネット２を連結できる。【００５８】この際、前記調整吊り張りロープ６Ｇは網目構造状に構成された取り付け用ロープ３を利用して自在に天井面側に取り付け可能であり、その長さ調整するだけ容易に平行に取り付けできる。【００５９】さらに、取り付け用ロープ３が複数本のロープ６で形成されているために、空間部の形状に応じて、それぞれのロープ６の引っ張り方向を自在な方向（天井面に沿った方向）に調整でき、あらゆる空間部に対応して取り付け用ロープ３を取り付けできる。【００６０】また、取り付け用ロープ３を形成する各ロープ６の連結部分は、縦方向を形成するロープ６Ｅのみ横方向を形成するロープ６Ｄに沿って移動、又は横方向を形成するロープ６Ｄのみを縦方向を形成するロープ６Ｅに沿って移動すべく構成することで、ネット２取り付け後の調整を行うようにすることも可能である。【００６１】また、天井面に沿って複数箇所で取り付け用ロープ３が取り付けられているために、天井面の補強用として、又は天井面を形成するパネルの補強及び落下防止用としても使用することができる。【００６２】しかも、前記取り付け用ロープ３に沿ってネット２が設けられているために、天井面よりのあらゆる落下に対して、その防止用としても利用可能であり、屋内施設をより多目的に使用することができる。【００６３】これにより、前記ネット２と連結する際は、取り付け用ロープ３の所望のロープ６Ａを選択し、該選択したロープ６Ａとネット２の補強用ロープ５とを連結具等（図示せず）を介して連結する。【００６４】このため、ネット２を所望の位置、所望の方向に沿って取り付けでき、しかもその取り付け作業工程が容易であり、作業の安全性を数倍に向上することができる。【００６５】尚、前記取り付け用ロープ３の複数本のロープ６の組み合わせは、矩形状の網目構造（四角形、台形状、菱形等）であれば、その間隔等自在に設定することができる。【００６６】また、前記取り付け用ロープ３を形成するロープ６の本数は、ネット２の形状（面積の大小）、ネット２の吊り張りする位置に対応して自在に決定することができる。【００６７】即ち、ネット２の面積が大きい場合には、その荷重が大きく、多くの縦方向のロープ６Ｅと横方向のロープ６Ｄとで形成して、ネット２の荷重を分散すべく構成する。【００６８】尚、上記実施例では、縦方向のロープ６Ｅと横方向のロープ６Ｄとを固定して、網目を形成したが、本願発明において縦方向のロープ６Ｅはこれに限定されるものでなく、縦方向のロープ６Ｅが横方向のロープ６Ｄに沿って移動可能とすることで、側面側等との取り付け位置の微調整を行うことができる。【００６９】本願発明の屋内又は屋外空間部用のネット体１は上記のように構成され、次に、前記ネット体１を用いて屋内空間部Ｋの側面、及び天井面に沿って吊り張りする場合について説明する。【００７０】先ず、屋内空間部Ｋの天井面に沿って網目構造状に形成された取り付け用ロープ３を取り付ける。【００７１】この際、天井面が円弧状に形成されている場合は、網目構造状に形成された所望の連結部分Ｒをそれぞれ複数個所で天井面に広げた状態で固定することで、円弧面全体に沿って取り付け用ロープ３の取り付けが可能である。【００７２】また、天井面の凹凸形状に対しても前記取り付け用ロープ３を形成する各ロープ６の引っ張り方向を調整することで、前記網目構造を前記凹凸形状に（沿って）対応させて取り付けできる。【００７３】また、前記取り付け用ロープ３の網目構造の大きさを調整することで、円弧面、又は凹凸形状に沿っての取り付け状態（取り付け位置）を調整できる。即ち、網目構造を小さく形成するほど円弧面、又は凹凸面に沿っての細かな調整を行い取り付け位置を増やすことで取り付け用ロープ３を最適な状態で取り付け可能となる。【００７４】次に、前記取り付け用ロープ３を形成するロープ６のうち所望のロープ６Ａ、６Ｂを選択（取り付けるネット２Ａの対向する両端側に対応するロープ６）し、ネット２Ａの両端側を取り付けるとともに、ネット２Ａ面の複数部分を取り付け用ロープ３の連結部分Ｒに取り付けることで、天井面にネット２Ａを広げた状態（下方側への垂れが少なく）で取り付けできる。【００７５】この際、複数本のロープ６を利用してネット２を連結することで、各ロープ６に係る荷重等を分散するとともに、ネット２の取り付け方向を自在に調整することができる。【００７６】さらに、前記ネット２Ａの対向する両端側を前記ロープ６Ａ、６Ｂに沿って所望量外方向に移動することで、さらにネット２Ａをロープ２に沿って広げた状態で吊り張りできる。【００７７】その後、側面に沿って所望の屋内空間部Ｋ（通路等として利用）を維持して側面用のネット２Ｂを取り付ける場合は、前記天井面に取り付けた前記天井面に取り付けた取り付け用ロープ３を利用し、該取り付け用ロープ３を形成するロープ６うち側面側の任意（前記屋内空間部Ｋに対応する位置）のロープ６Ｃを選択して、ネット２Ｂの上端側を前記ロープ６Ｃに連結することで、側面側に沿ってネット２Ｂを天井面よりすき間なく取り付ける。【００７８】前記側面用のネット２Ｂは、天井側の円弧面部分と矩形状の側面側部分とを２分割し、円弧面部分のみを前記取り付け用ロープ３を利用して取り付け、側面側部分を別体の取り付け用ロープ３を利用して取り付けることも可能である。【００７９】前記ネット２と選択したロープ６Ｃとの連結は、該ネット２Ｂの端部側の補強用ロープ５部分とロープ６Ｃとを連結具（リング体等の連結体）を介して取り付ける。【００８０】前記ネット２Ｂも同様に、取り付け用ロープ３を形成するロープ６Ｃに沿って左右両端側より移動可能であるために、前記ネット２Ｂを所望量移動することで、ネット２Ｂを側面に沿って最適な位置で吊り張りすることができる。【００８１】このように、本願発明のネット体１は取り付け用ロープ３とネット２とで構成されているために、その取り付けが容易であり、高所での作業を安全に行うことができる。【００８２】また、ネット体１の取り付け位置を常に広げた状態で最適化でき、屋内空間部Ｋへの取り付け作業の煩雑さを解消することができる。【００８３】また、あらゆる屋内空間部Ｋに対応してネット体１を自在に取り付けでき、従来のような煩雑な作業工程を必要としない。【００８４】さらに、複数枚のネット２で形成した大屋内空間部用Ｋのネット体１であっても、その連結部分を複数箇所自在に設定でき、確実なネット２の取り付けが可能である。【００８５】上記実施例では、天井面と側面側とを一体の取り付け用ロープ３を用いてそれぞれのネット２Ａ、２Ｂを取り付けたが、取り付け用ロープ３の利用はこれに限定されるものでなく、天井面と側面側とのネット２をそれぞれ別体の取り付け用ロープ３を用いて取り付けることも可能である。【００８６】この場合側面側の取り付け用ロープ３は、側面両端側に沿って広い網目構造状に組み合わせた取り付け用ロープ３（複数本の横方向のロープ６Ｄと複数本の縦方向のロープ６Ｅで形成）を架け渡し、横方向の所望のロープ６Ｃを選択してネット２の上端側を連結する。この際、選択したロープ６Ｃより下方側の他のロープ６はネット２Ｂ面とさらに、連結することで、格子状にネット２Ｂと連結でき確実にネット２Ｂを固定でき、また広げた状態でスムーズに吊り張りすることができる。【００８７】このため、ネット２Ｂの荷重を複数本のロープ６で分散でき、ネット２Ｂを広げた状態で容易に維持することができる。【００８８】また、取り付け用ロープ３が複数本のロープ６を用いて形成されているために、例えば、側面側の凹凸形状に応じても、凹凸形状に応じて取り付け用ロープ３を取り付け（凹凸部分に網目構造を沿わせ所望の位置で連結部分Ｒを固定する）でき、あらゆる屋内空間部Ｋに取り付けできる。【００８９】又は、天井面に取り付けた取り付け用ロープ３を利用して側面側のネット２Ｂを取り付けることで、側面側の凹凸形状に自在に対応することができる。【００９０】さらに、前記取り付け用ロープ３を形成する縦方向のロープ６Ｄを横方向のロープ６Ｅに沿って所望量移動すべく構成することで、取り付け用ロープ３の中途部分の上方側よりの吊り張り位置の微調整を行うことができ、確実な取り付け用ロープ３の取り付けが行える。【００９１】尚、上記実施例では、屋内空間部用のネット体１を天井用のネット２Ａと側面用のネット２とで構成したが、本発明において、屋内空間部用のネット体１の構成はこれに限定されるものでなく、天井用のネット２Ａのみ、又は側面用のネット２Ｂのみで構成することも可能である。【００９２】また、上記実施例では、屋内空間部用のネット体１を防球用のネット体１として使用したが、本発明のネット体１の利用はこれに限定されるものでなく、屋内空間部の間仕切り用として使用することも可能である。【００９３】次に、屋内空間部でネット体１を用いて間仕切り用とする場合について説明する。【００９４】前記実施例と同様に、天井面に沿って取り付け用ロープ３を取り付け、該取り付け用ロープ３を形成するロープ６を利用して天井用のネット２Ａを取り付ける。【００９５】その後、前記取り付け用ロープ３を形成する所望のロープ６を利用し、円弧状の天井面に沿って半円形状に形成されたネット２Ｂ２の円弧状の端部側を取り付けることで、円弧状の天井面に沿ってネット２Ｂ２を取り付けできる。【００９６】その後、前記天井面の取り付け用ロープ３の端部側のロープ６を利用して側面用と同様に空間部の形状に応じて形成された矩形状のネット２Ｂ１を前記天井面に沿って取り付けられたネット２Ｂ２の下方に沿って取り付ける。【００９７】これにより、ネット体１は空間部の所望の位置に間仕切り用として吊り張りすることができる。しかも、ネット体１を２分割して形成しているために、円弧状の天井面側に沿って適切に間仕切りできる。【００９８】尚、天井面に沿って取り付けられたネット２Ｂ２のみを別体として取り付けることも可能である。【００９９】このように、本願発明の屋内空間部用のネット体１は屋内空間部のあらゆる側面に沿って防球用として、又は所望の位置で空間部の間仕切り用として取り付けできる。【０１００】また、ネット２の取り付けが、網目構造状の取り付け用ロープ３を利用して自在に取り付けできるので、その作業工程が簡易であり、且つ安全に作業することができる。
【実施例２】
【０１０１】次に、屋外空間部Ｈのネット体１の取り付けについて説明する。【０１０２】先ず、屋外空間部Ｈの外周縁に沿って複数本の支柱１０を所望の間隔で立設し、該支柱１０間に複数本のロープ６で網目構造状（横方向のロープ６Ｄと縦方向のロープ６Ｅとで形成）に形成された取り付け用ロープ３を取り付ける。【０１０３】即ち、支柱１０間の距離（距離が広い場合は、取り付け用ロープ３を形成するロープ６の本数を増加）、支柱１０高さ（高さが高い場合は、取り付け用ロープ３を形成するロープ６の本数を増加）により調整する。【０１０４】また、前記支柱１０間に取り付けるネット２の取り付け状況、例えば、垂直方向に沿ってのネット２の取り付け、及び天井面を形成するようなネット２の水平方向に沿っての取り付け等の組み合わせの場合に応じて、取り付け用ロープ３を水平方向に沿っても取り付けられるように形成する。【０１０５】また、前記取り付け用ロープ３の構成は網目構造であれば、水平方向のロープ６Ｄに、斜め方向のロープ６Ｆを組み合わせることで構成することも可能である。【０１０６】このため、支柱１０に状況に応じて、取り付け用ロープ３で支柱１０の強度を自在に補強できる。【０１０７】また、取り付け用ロープ３の網目構造状を利用して、支柱１０の下方では、所望の位置の近接する横方向のロープ６Ｄを選択してそれぞれにネット２を取り付けることで、ネット２を二重に取り付け、ネット２の強度を補強し各種の球技に自在に対応することも可能である。【０１０８】また支柱１０の中間部分は所望の横方向のロープ６Ｄを選択して反射防止用のネット２、目隠し用のネット２、又は模様の施されたネット２を取り付けることで、空間部の使用目的に応じて自在に設計できる。【０１０９】さらに、支柱１０の上端側に照明器具の設置された場所では、照明灯部分のみ開口させた状態で網目構造を形成した取り付け用ロープ３を取り付け、該ロープ６を利用して開口部を有するネット２を取り付けることで、ネット２が照明灯部分を開放し、適切な照明を得ることができる。【０１１０】このように、前記取り付け用ロープ３を使用して自在に種々のネット２の取り付けが可能である。【０１１１】次に、前記取り付け用ロープ３のうち選択した横方向のロープ６Ｄにネット２の補強用ロープ５部分を、連結具等を介して連結することで、ネット２を取り付け用ロープ３に取り付ける。【０１１２】この際、縦方向のロープ６Ｅとネット２面を連結することで、ネット２を取り付け用ロープ３に確実に取り付けできる。【０１１３】その後、前記ネット２を取り付けられた横方向のロープ６Ｄに沿って移動することで、ネット２の取り付け位置の微調整を行うこととともに、支柱１０間に広げた状態でネット２を吊り張りできる。【０１１４】このように、本願発明のネット体１は、支柱１０に沿って広げた状態で容易に取り付けできる。【０１１５】また、ネット２の荷重を複数本のロープ６で分散し、取り付け用ロープ３の頻繁なメンテナンス作業を必要としない。【０１１６】また、取り付け用ロープ３が複数本のロープ６で形成されているために、縦方向のロープ６Ｅの引っ張り方向を自在に設定でき、例えば、傾斜方向に支柱１０間に取り付けることも可能である。【０１１７】さらに、網目構造の大小を支柱１０間で自在に設定でき、ネット２の摩耗等の激しい場所では、網目構造を狭く設定し、ネット２の連結部分を増加して強固にネット２を吊り張りすることも可能である。【０１１８】尚、上記実施例では取り付け用ロープ３を横方向のロープ６Ｄと縦方向のロープ６Ｅとで格子状の網目構造に形成したが、本願発明の取り付け用ロープ３の構成はこれに限定されるものでなく、略Ｘ字状にロープ６組み合わせて構成することも可能である。【０１１９】また、上記実施例２では、支柱１０の側面側のみにネット２を取り付けたが、本願発明において、ネット２の取り付けはこれに限定されるものでなく、支柱１０の上方側に沿って取り付け用ロープ３を網目構造状に取り付けることで、該取り付け用ロープ３を利用して天井側にネット２を取り付けできる。【０１２０】さらに、支柱１０間への取り付け用ロープ３を所望の支柱１０を選択して、該選択した支柱１０間で取り付け用ロープ３を取り付けることで、支柱１０間に沿って種々のネット２沃井側よりの帯状のネット２等）の取り付けできる。【０１２１】このように、本願発明の屋内、又は屋外空間部のネット体１は取り付け用ロープ３を介してあらゆる空間部にネット２を自在に取り付けでき、またスムーズな取り付けができ、そのメンテナンス作業においても、容易に行うことができる。
【図面の簡単な説明】
【０１２２】
【図１】本願発明の屋内空間部用のネット体を示す概略説明側面図
【図２】図１のネットを連結する天井用の取り付け用ロープを示す概略説明平面図
【図３】図２の取り付け用ロープの半面部分にネットを取り付けた状態を示す概略説明平面図
【図４】本願発明の屋内空間部用のネット体の円弧面に沿って取り付けた状態を示す概略説側面図
【図５】本願発明の屋内空間部用のネット体の他実施例を示す概略説明平面図
【図６】本願発明の屋内空間部用のネット体の他実施例を示す概略説明平面図
【図７】本願発明の屋内空間部用のネット体の間仕切り用として使用する概略説明平面図
【図８】本願発明の屋内空間部用のネット体を床面ト平行に取り付けた状態を示す概略説明平面図
【図９】本願発明の屋外空間部用のネット体の他実施例を示す概略説明平面図
【図１０】本願発明の屋外空間部用のネット体の他実施例を示す概略説明平面図
【図１１】本願発明の屋内又は屋外空間部用のネット体の吊り張り方法のフローチャート
【図１２】本願発明の屋内又は屋外空間部用のネット体の吊り張り方法のフローチャート
【符号の説明】
【０１２３】１…屋内又は屋外空間部のネット体、２…ネット、３…取り付け用ロープ、４…ネット本体、５…補強用ロープ、６…ロープ
【図１】
2017192689.tif 000003
【図２】
2017192689.tif 000004
【図３】
2017192689.tif 000005
【図４】
2017192689.tif 000006
【図５】
2017192689.tif 000007
【図６】
2017192689.tif 000008
【図７】
2017192689.tif 000009
【図８】
2017192689.tif 000010
【図９】
2017192689.tif 000011
【図１０】
2017192689.tif 000012
【図１１】
2017192689.tif 000013
【図１２】
2017192689.tif 000014
【手続補正書】
【提出日】平成28年9月9日(2016.9.9)
【手続補正１】
【補正対象書類名】特許請求の範囲
【補正対象項目名】全文
【補正方法】変更
【補正の内容】
【特許請求の範囲】
【請求項１】
屋内又は屋外空間部の側面又は天井面に沿って取り付けられた取り付け用ロープと、該取り付け用ロープに連結された防球用としてのネットとから構成された屋内又は屋外空間部用のネット体において、前記取り付け用ロープが前記ネットを取り付けるための側面又は天井面の大きさ、形状に応じて複数本のロープで網目構造状に連結するとともに、ロープの連結部分の大きさを調整して形成され、しかも前記ネットが前記取り付け用ロープを形成するロープのうち所望のロープを選択して連結されていることを特徴とする屋内又は屋外空間部用のネット体。
【請求項２】
屋内又は屋外空間部の側面又は天井面の形状に応じて１枚又は複数枚でネットを形成し、該ネットを前記側面又は天井面に吊り張りした取り付け用ロープを介して取り付ける屋内又は屋外空間部用のネット体の吊り張り方法において、前記取り付け用ロープを側面又は天井面の形状に応じてロープの連結部分の大きさを調整しながら網目構造状に複数本のロープで形成し、前記取り付け用ロープを前記側面又は天井面の形状に応じて複数個所で取り付けた後、前記取り付け用ロープを形成するロープのうち所望のロープを利用して前記ネットを取り付けるとともに、前記ネットを連結したロープに沿って移動することで前記ネットの取り付け位置の調整を行うことを特徴とする屋内又は屋外空間部用のネット体の吊り張り方法。
【手続補正２】
【補正対象書類名】明細書
【補正対象項目名】００１４
【補正方法】変更
【補正の内容】
【００１４】本願発明の上記課題を解決する手段としての屋内又は屋外空間部用のネット体は、請求項１に記載のように、屋内又は屋外空間部の側面又は天井面に沿って取り付けられた取り付け用ロープと、該取り付け用ロープに連結された防球用としてのネットとから構成された屋内又は屋外空間部用のネット体において、前記取り付け用ロープが前記ネットを取り付けるための側面又は天井面の大きさ、形状に応じて複数本のロープを網目構造状に連結するとともに、ロープの連結部分の大きさを調整して形成され、しかも所望のロープを選択して前記ネットが連結されていることを特徴とする。
【手続補正３】
【補正対象書類名】明細書
【補正対象項目名】００１５
【補正方法】変更
【補正の内容】
【００１５】また、本願発明の上記課題を解決する手段としての屋内又は屋外空間部用のネット体の取り付け方法は、請求項２に記載のように、屋内又は屋外空間部の側面又は天井面の形状に応じて１枚又は複数枚でネットを形成し、該ネットを前記側面又は天井面に吊り張りした取り付け用ロープを介して取り付ける屋内又は屋外空間部用のネット体の取り付け方法において、前記取り付け用のロープを側面又は天井面の形状に応じてロープの連結部分の大きさを調整しながら
網目構造状に複数本のロープで形成し、前記取り付け用のロープを前記側面又は天井面の形状に応じて複数個所で取り付けた後、前記取り付け用のロープを形成する所望のロープを利用して前記ネット体を取り付けるとともに、前記ネットを連結したロープに沿って移動することで前記ネットの取り付け位置の調整を行うことを特徴とする。
【手続補正４】
【補正対象書類名】明細書
【補正対象項目名】００２１
【補正方法】変更
【補正の内容】
【００２１】前記取り付け用ロープの網目構造状の連結は、矩形状であれば網目の形状は特に限定されず、ネットを取り付ける側面又は天井面の形状（球面、２階部分の突起等）に応じて自在に形成でき、該当する面に沿って取り付け用ロープを取り付け（左右方向、又は上下方向、及び上下方向、さらに傾斜方向等の複数個所を取り付け、所望の空間で架け渡して）できる。
【手続補正５】
【補正対象書類名】明細書
【補正対象項目名】００２８
【補正方法】変更
【補正の内容】
【００２８】また、取り付け用ロープの空間部への取り付けが、空間部の形状、空間部の大きさ等に応じて自在に選択でき、防球用の目的に応じて、空間部にネットを吊り張りできる。
【手続補正６】
【補正対象書類名】明細書
【補正対象項目名】００３８
【補正方法】変更
【補正の内容】
【００３８】また、取り付け用ロープを形成するロープの本数を調整することで、さらに、側面又は天井面の形状に応じて自在に取り付けできる。
【手続補正書】
【提出日】平成28年12月8日(2016.12.8)
【手続補正１】
【補正対象書類名】特許請求の範囲
【補正対象項目名】全文
【補正方法】変更
【補正の内容】
【特許請求の範囲】
【請求項１】
屋内空間部の側面又は天井面、又は屋外空間部の側面に沿って取り付けられた取り付け用ロープと、該取り付け用ロープに連結された防球用としてのネットとから構成された屋内又は屋外空間部用のネット体において、前記取り付け用ロープが前記ネットを取り付けるための側面又は天井面の大きさ、形状に応じて複数本のロープで網目構造状に連結されるとともに、ロープの連結部分の位置を調整、又はロープの網目構造の大きさを調整して形成され、しかも前記ネットが前記取り付け用ロープを形成するロープのうち所望のロープを選択して連結されていることを特徴とする屋内又は屋外空間部用のネット体。
【請求項２】
屋内空間部の側面又は天井面、又は屋外空間部の側面の形状に応じて１枚又は複数枚でネットを形成し、該ネットを前記側面又は天井面に吊張りした取り付け用ロープを介して取り付ける屋内又は屋外空間部用のネット体の吊り張り方法において、前記取り付け用ロープを側面又は天井面の形状に応じてロープの連結部分の位置を調整、又はロープの網目構造の大きさを調整しながら網目構造状に複数本のロープで形成し、前記取り付け用ロープを前記側面又は天井面の形状に応じて複数個所で取り付けた後、前記取り付け用ロープを形成するロープのうち所望のロープを利用して前記ネットを取り付けるとともに、前記ネットを連結したロープに沿って移動することで前記ネットの取り付け位置の調整を行うことを特徴とする屋内又は屋外空間部用のネット体の吊り張り方法。
【手続補正２】
【補正対象書類名】明細書
【補正対象項目名】００１４
【補正方法】変更
【補正の内容】
【００１４】本願発明の上記課題を解決する手段としての屋内又は屋外空間部用のネット体は、請求項１に記載のように、屋内空間部の側面又は天井面、又は屋外空間部用の側面に沿って取り付けられた取り付け用ロープと、該取り付け用ロープに連結された防球用としてのネットとから構成された屋内又は屋外空間部用のネット体において、前記取り付け用ロープが前記ネットを取り付けるための側面又は天井面の大きさ、形状に応じて複数本のロープを網目構造状に連結されるとともに、ロープの連結部分の位置を調整、又はロープの網目構造の大きさを調整して形成され、しかも前記ネットが前記取り付け用ロープを形成するロープのうち所望のロープを選択して連結されていることを特徴とする。
【手続補正３】
【補正対象書類名】明細書
【補正対象項目名】００１５
【補正方法】変更
【補正の内容】
【００１５】また、本願発明の上記課題を解決する手段としての屋内又は屋外空間部用のネット体の吊り張り方法は、請求項２に記載のように、屋内空間部の側面又は天井面、又は屋外空間部の側面の形状に応じて１枚又は複数枚でネットを形成し、該ネットを前記側面又は天井面に吊り張りした取り付け用ロープを介して取り付ける屋内又は屋外空間部用のネット体の吊り張り方法において、前記取り付け用ロープを側面又は天井面の形状に応じてロープの連結部分の位置を調整、又はロープの網目構造の大きさを調整しながら網目構造状に複数本のロープで形成し、前記取り付け用ロープを前記側面又は天井面の形状に応じて複数個所で取り付けた後、前記取り付け用ロープを形成するロープのうち所望のロープを利用して前記ネットを取り付けるとともに、前記ネットを連結したロープに沿って移動することで前記ネットの取り付け位置の調整を行うことを特徴とする。
【手続補正４】
【補正対象書類名】明細書
【補正対象項目名】００４７
【補正方法】変更
【補正の内容】
【００４７】図１は本願発明の屋内空間部用のネット体の一実施例を示す概略説明側面図であり、図２は図１のネットを連結する天井用の取り付け用ロープを示す概略説明平面図であり、図３は図２の取り付け用ロープの半面部分にネットを取り付けた状態を示す概略説明平面図であり、図４は本願発明の屋内空間部のネット体を円弧面に沿って取り付けた状態を示す概略説明側面図であり、図５、及び図６は本願発明の屋内空間部用のネット体の他実施例を示す概略説明正面図であり、図７は屋内空間部用のネット体の間仕切り用の使用状態を示す概略説明正面図であり、図８は屋内空間部用のネット体を床面と平行に取り付けた状態を示す概略説明正面図であり、図９、図１０は本願発明の屋外空間部用のネット体を示す概略説明正面図であり、図１１、及び図１２は本願発明の屋内又は屋外空間部用のネット体の吊り張り方法のフローチャートである。
【手続補正５】
【補正対象書類名】明細書
【補正対象項目名】０１２２
【補正方法】変更
【補正の内容】
【０１２２】
【図１】本願発明の屋内空間部用のネット体を示す概略説明側面図
【図２】図１のネットを連結する天井用の取り付け用ロープを示す概略説明平面図
【図３】図２の取り付け用ロープの半面部分にネットを取り付けた状態を示す概略説明平面図
【図４】本願発明の屋内空間部用のネット体の円弧面に沿って取り付けた状態を示す概略説明側面図
【図５】本願発明の屋内空間部用のネット体の他実施例を示す概略説明正面図
【図６】本願発明の屋内空間部用のネット体の他実施例を示す概略説明正面図
【図７】本願発明の屋内空間部用のネット体の間仕切り用として使用する状態を示す概略説明正面図
【図８】本願発明の屋内空間部用のネット体を床面と平行に取り付けた状態を示す概略説明正面図
【図９】本願発明の屋外空間部用のネット体の他実施例を示す概略説明正面図
【図１０】本願発明の屋外空間部用のネット体の他実施例を示す概略説明正面図
【図１１】本願発明の屋内又は屋外空間部用のネット体の吊り張り方法のフローチャート
【図１２】本願発明の屋内又は屋外空間部用のネット体の吊り張り方法のフローチャート
【手続補正書】
【提出日】平成29年1月19日(2017.1.19)
【手続補正１】
【補正対象書類名】特許請求の範囲
【補正対象項目名】全文
【補正方法】変更
【補正の内容】
【特許請求の範囲】
【請求項１】
屋内空間部の側面又は天井面、又は屋外空間部の側面に沿って取り付けられた取り付け用ロープと、該取り付け用ロープに連結された防球用としてのネットとから構成された屋内又は屋外空間部用のネット体において、前記取り付け用ロープが前記ネットを取り付けるための側面又は天井面の大きさ、形状に応じて複数本のロープで網目構造状に連結されるとともに、ロープの連結部分の位置を調整可能、又はロープの網目構造の大きさを調整可能に形成され、しかも前記ネットが前記取り付け用ロープを形成するロープのうち所望のロープを選択して連結されていることを特徴とする屋内又は屋外空間部用のネット体。
【請求項２】
屋内空間部の側面又は天井面、又は屋外空間部の側面の形状に応じて１枚又は複数枚でネットを形成し、該ネットを前記側面又は天井面に吊張りした取り付け用ロープを介して取り付ける屋内又は屋外空間部用のネット体の吊り張り方法において、前記取り付け用ロープを側面又は天井面の形状に応じてロープの連結部分の位置を調整、又はロープの網目構造の大きさを調整しながら網目構造状に複数本のロープで形成し、前記取り付け用ロープを前記側面又は天井面の形状に応じて複数個所で取り付けた後、前記取り付け用ロープを形成するロープのうち所望のロープを利用して前記ネットを取り付けるとともに、前記ネットを連結したロープに沿って移動することで前記ネットの取り付け位置の調整を行うことを特徴とする屋内又は屋外空間部用のネット体の吊り張り方法。
【手続補正２】
【補正対象書類名】明細書
【補正対象項目名】００１４
【補正方法】変更
【補正の内容】
【００１４】本願発明の上記課題を解決する手段としての屋内又は屋外空間部用のネット体は、請求項１に記載のように、屋内空間部の側面又は天井面、又は屋外空間部用の側面に沿って取り付けられた取り付け用ロープと、該取り付け用ロープに連結された防球用としてのネットとから構成された屋内又は屋外空間部用のネット体において、前記取り付け用ロープが前記ネットを取り付けるための側面又は天井面の大きさ、形状に応じて複数本のロープを網目構造状に連結されるとともに、ロープの連結部分の位置を調整可能、又はロープの網目構造の大きさを調整可能に形成され、しかも前記ネットが前記取り付け用ロープを形成するロープのうち所望のロープを選択して連結されていることを特徴とする。
【手続補正３】
【補正対象書類名】明細書
【補正対象項目名】００１５
【補正方法】変更
【補正の内容】
【００１５】また、本願発明の上記課題を解決する手段としての屋内又は屋外空間部用のネット体の吊り張り方法は、請求項２に記載のように、屋内空間部の側面又は天井面、又は屋外空間部の側面の形状に応じて１枚又は複数枚でネットを形成し、該ネットを前記側面又は天井面に吊り張りした取り付け用ロープを介して取り付ける屋内又は屋外空間部用のネット体の吊り張り方法において、前記取り付け用ロープを側面又は天井面の形状に応じてロープの連結部分の位置を調整、又はロープの網目構造の大きさを調整しながら網目構造状に複数本のロープで形成し、前記取り付け用ロープを前記側面又は天井面の形状に応じて複数個所で取り付けた後、前記取り付け用ロープを形成するロープのうち所望のロープを利用して前記ネットを取り付けるとともに、前記ネットを連結したロープに沿って移動することで前記ネットの取り付け位置の調整を行うことを特徴とする。
【手続補正４】
【補正対象書類名】明細書
【補正対象項目名】００４７
【補正方法】変更
【補正の内容】
【００４７】図１は本願発明の屋内空間部用のネット体の一実施例を示す概略説明側面図であり、図２は図１のネットを連結する天井用の取り付け用ロープを示す概略説明平面図であり、図３は図２の取り付け用ロープの半面部分にネットを取り付けた状態を示す概略説明平面図であり、図４は本願発明の屋内空間部のネット体を円弧面に沿って取り付けた状態を示す概略説明側面図であり、図５、及び図６は本願発明の屋内空間部用のネット体の他実施例を示す概略説明正面図であり、図７は屋内空間部用のネット体の間仕切り用の使用状態を示す概略説明正面図であり、図８は屋内空間部用のネット体を床面と平行に取り付けた状態を示す概略説明正面図であり、図９、図１０は本願発明の屋外空間部用のネット体を示す概略説明正面図であり、図１１、及び図１２は本願発明の屋内又は屋外空間部用のネット体の吊り張り方法のフローチャートである。
【手続補正５】
【補正対象書類名】明細書
【補正対象項目名】０１２２
【補正方法】変更
【補正の内容】
【０１２２】
【図１】本願発明の屋内空間部用のネット体を示す概略説明側面図
【図２】図１のネットを連結する天井用の取り付け用ロープを示す概略説明平面図
【図３】図２の取り付け用ロープの半面部分にネットを取り付けた状態を示す概略説明平面図
【図４】本願発明の屋内空間部用のネット体の円弧面に沿って取り付けた状態を示す概略説明側面図
【図５】本願発明の屋内空間部用のネット体の他実施例を示す概略説明正面図
【図６】本願発明の屋内空間部用のネット体の他実施例を示す概略説明正面図
【図７】本願発明の屋内空間部用のネット体の間仕切り用として使用する状態を示す概略説明正面図
【図８】本願発明の屋内空間部用のネット体を床面と平行に取り付けた状態を示す概略説明正面図
【図９】本願発明の屋外空間部用のネット体の他実施例を示す概略説明正面図
【図１０】本願発明の屋外空間部用のネット体の他実施例を示す概略説明正面図
【図１１】本願発明の屋内又は屋外空間部用のネット体の吊り張り方法のフローチャート
【図１２】本願発明の屋内又は屋外空間部用のネット体の吊り張り方法のフローチャート